(57)【特許請求の範囲】
【請求項１】
プリフォームの本体を形成するキャビティ型と、プリフォームの口部を形成するネック型とを型閉し、そのネック型を貫通してキャビテ内に挿入したコア型により、内部にネック型内に達するキャビティを形成した射出金型に溶融樹脂を射出充填して所要のプリフォームを成形し、そのプリフォームをブロー金型内にて照明用グローブなどの中空成形品に成形するにあたり、
上記キャビティのパーティング部分に所要外径の樹脂溜りをリング状に形成してゲートを設定するとともに、ゲートをキャビティ型とネック型とのパーティングに設けた射出路と連通させ、樹脂溜りからキャビティに溶融樹脂を射出して外底面にゲート跡のないプリフォームを射出成形し、そのプリフォームをネック型により口部を保持して本体を外底面の後処理が不要な中空成形品に延伸ブロー成形することを特徴とする照明用グローブ等の中空成形品の延伸ブロー成形方法。
【発明の詳細な説明】
【０００１】
【発明の属する技術分野】
この発明は、ポリカーボネートなどの合成樹脂により成形された照明用グローブ等の中空成形品の延伸ブロー成形方法に関するものである。
【０００２】
【従来の技術】
図４は、ＰＥＴボトルなどの容器のプリフォームを射出成形する場合の通常例を示すもので、プリフォーム本体を形成するキャビティ型１と、プリフォーム口部を形成するネック型２とを型閉し、そのネック型２を貫通してキャビテ型１内に挿入したコア型３により、内部にネック型２内に達するキャビティ４を形成し、そのキャビティ４にキャビティ型底部のゲート５から溶融樹脂を射出充填して、所要のプリフォーム６を成形している。
【０００３】
【発明が解決しようとする課題】
このような従来手段により成形したプリフォームでは、外底面にゲート跡が生ずる。このゲート跡は最終成形品の底部に残るが、ＰＥＴボトル等の容器では、その殆どが内側に凹入形成された底面の中央部に位置するため外部から目立たつことがなく、これまで特に問題視されることはなかった。
【０００４】
しかしながら、球形の照明用グローブなどの成形に延伸ブロー成形を採用した場合には、上記プリフォームのゲート跡は球面中央に生ずることになる。このゲート跡は後処理が可能であるが完全に無くすことはできず、特に室内などで下向きに使用されるグローブでは、ゲート跡を処理しても、それにより生じた微細な凹凸による乱反射で、その部分の透光性が他よりも悪くなり、グローブ中央に影が生ずるようになる。また処理後の表面輝度の差から外観においてもゲート跡が目立ち易いので、照明装飾を兼ねるグローブの価値がガラス製に比べて低く評価されているという課題をも有する。
【０００５】
この発明は、上記延伸ブロー成形による合成樹脂製の照明用グローブの課題を解決するために考えられたものであって、その目的は、プリフォームを成形するキャビティのゲートを、グローブ等の成形品における透光部以外の部分に設定することによって、ゲート跡による課題を解決し得る新たな照明用グローブ等の中空成形品の延伸ブロー成形方法を提供することにある。
【０００６】
【課題を解決するための手段】
上記目的によるこの発明は、プリフォームの本体を形成するキャビティ型と、プリフォームの口部を形成するネック型とを型閉し、そのネック型を貫通してキャビテ内に挿入したコア型により、内部にネック型内に達するキャビティを形成し、そのキャビティのパーティング部分に所要外径の樹脂溜りをリング状に形成してゲートを設定するとともに、ゲートをキャビティ型とネック型とのパーティングに設けた射出路と連通させ、その樹脂溜りからキャビティに溶融樹脂を射出して外底面にゲート跡のないプリフォームを射出成形し、そのプリフォームをネック型により口部を保持して本体を外底面の後処理が不要な中空成形品に延伸ブロー成形する、というものである。
【０００７】
【発明の実施の形態】
図１から図３はこの発明の一実施形態を示すものである。
図１において、１０はプリフォーム成形用の射出金型で、従来構造と同様にプリフォーム本体を形成するキャビティ型１１と、プリフォーム口部を形成するネック型１２と、そのネック型１２を貫通してキャビテ型１１内に挿入したコア型１３とからなり、そのコア型１３によりネック型１２の内部まで達する縦長のキャビティ１４を形成している。
【０００８】
上記キャビティ１４に溶融樹脂を射出充填するゲート１５は、キャビティ１４のパーティング部分に設けてある。このパーティング部分には所要外径の樹脂溜り１７がリング状に形成してあり、その樹脂溜り１７に上記ゲート１５が設定してある。このゲート１５はキャビティ型１１とネック型１２とのパーティングに設けた射出路１８と連通させてある。
【０００９】
１９はキャビティ型１１の設置基盤、２０はネック型１２を水平方向に開閉自在に下面に取付けた回転盤などによる移送盤で、その上部の昇降盤２１と共にキャビティ型１１に対し上下動して型開閉が行われるようにしてある。またコア型１３は図では省略したが、昇降盤２１より上方に配設した型締装置に連設され、その型締装置の作動により型閉じ後に移送盤２０及び昇降盤２１とネック型１２とを貫通して、キャビティ型１１の中央部に挿入される。
【００１０】
図２において、２２は設置基盤２３の上面を開閉移動する一対の割型によるプロー金型で、型閉じにより本体が球形の照明用のグローブ３０を成形するブローキャビティ２４を有する。また上部には延伸ロッド２５を伸縮自在に貫挿したブローコア２６が昇降自在に配設してある。
【００１１】
上記グローブ３０の成形は、図では省略したが、先ず射出金型１０を型閉して、パーティングの射出路ゲートに射出装置をノズルタッチし、乳白色に着色したポリカーボネートの溶融樹脂の射出を行う。溶融樹脂は上記射出路１８からゲート１５、さらに樹脂溜り１７に射出されて、キャビティ１４に充填される。この樹脂の充填はキャビティ型１１側とネック型１２側の両方に同時に行われ、キャビティ型１１により本体１６ａがネック型１２により外周囲にねじを有する口部１６ｂが成形されたプリフォーム１６が生ずる。
【００１２】
次にネック型１２及びコア型１３を上方に移動して型開を行うと共に、プリフォーム１６をキャビティ型１１とコア型１３から離型し、口部１６ｂをネック型１２に保持したまま上記ブロー金型２２に移送して、通常の手段により球形のグローブ３０の延伸吹込成形を行う。成形は型閉じ後に延伸ロッド２５によりプリフォーム１６の本体１６ａを軸方向に伸長すると共にエアブローによりブローキャビティ一杯に膨張して球形のグローブ３０となす。
【００１３】
成形後に型開を行い、ネック型１２に保持したまま他の位置に移送して離型したのち、後処理としてフランジ３１より上部の口部１６ａを切除する。このようなグローブ３０では、射出路１８により生じたスプルを切除した後のゲート跡はフランジ３１の外端に生ずるので、これまでのような本体中央のゲート跡の処理は不要となり、またゲート跡があっても本体以外のところなので、外観を損なうこともない。
また口部１６ａを切除せずに、その外周のねじをソケットへのねじ込みに利用して取り付けることも可能であり、口部１６ａを切除した場合にはフランジ３１が取付用のフランジとしてそのまま利用される。
【００１４】
なお、実施形態はキャビティ型１１を下側にネック型１２を上側として射出金型１０を構成しているが、その上下関係を反対にして射出金型１０を構成してもよく、この場合にはキャビティ１１を上部基盤に下向きに固定し、その下面に対してネック型１２を移送手段とともに上下動自在に配設することになる。
【００１５】
上述のように、この発明ではキャビティのパーティング部分に形成した所要外径のリング状の樹脂溜りにゲートを設定して、外底面にゲート跡のないプリフォームを射出成形し、これを球形のグローブ等に延伸ブロー成形するものであるから、プリフォームの外底面に生じたゲート跡によるグローブ中央の影、処理後の表面輝度の差から生ずるゲート跡が目立ちなどが排除され、材質がポリカーボネートなどの合成樹脂であってもガラス製のものと差がなく、照明装飾としてのグローブの価値を著しく向上する他、延伸ブロー成形を採用して量産できるので価格の低減をも図ることができる。
【図面の簡単な説明】
【図１】  この発明におけるプリフォームの射出成形状態を示す射出金型の縦断面図である。
【図２】  同じく球形のグローブの延伸ブロー成形状態を示すブロー金型の縦断面図である。
【図３】  この発明により成形される球形のグローブの縦断面図である。
【図４】  従来のＰＥＴボトルなどの容器のプリフォームの射出成形状態を示す射出金型の縦断面図てある。
【符号の説明】
１０    射出金型
１１    キャビティ型
１２    ネック型
１３    コア型
１４    キャビティ
１５    ゲート
１６    プリフォーム
１７    樹脂溜り
２２    ブロー金型
２４    ブローキャビティ
３０    球形のグローブ
【図１】
0003677690.tif 000002
【図２】
0003677690.tif 000003
【図３】
0003677690.tif 000004
【図４】
0003677690.tif 000005